(57)【要約】【課題】本発明は、記録媒体上に画像を形成する画像形成装置に関し、騒音増大およびトルク不足を回避した増速が可能な画像形成装置を提供することを目的とする。【解決手段】４つの感光体ドラム１１Ｙ，１１Ｍ，１１Ｃ，１１ＫのうちのＫ色用の感光体ドラム１１Ｋを除く他の３つの感光体ドラム１１Ｙ，１１Ｍ，１１Ｃを回転駆動させる第１モータ７２０が、これら３つの感光体ドラム１１Ｙ，１１Ｍ，１１Ｃに対して１つ配備され、４つの現像ロール１４１Ｙ，１４１Ｍ，１４１Ｃ，１４１ＫのうちのＫ色用の現像ロール１４１Ｋを除く他の３つの現像ロール１４１Ｙ，１４１Ｍ，１４１Ｃを回転駆動させる、第１モータ７２０とは別の第２モータ７３０が、これら３つの現像ロール１４１Ｙ，１４１Ｍ，１４１Ｃに対して１つ配備されている。【選択図】        図３
2009115966.tif 000002
【特許請求の範囲】
【請求項１】
回転しながら周面に静電潜像が形成されて該静電潜像を保持する複数の像保持体と、
前記複数の像保持体それぞれにそれぞれが接触あるいは近接した、各周面に各色のトナーを含む現像剤を保持して回転することで該像保持体に保持されている静電潜像を現像する複数の現像体と、
前記複数の像保持体に対して１つ配備された、該複数の像保持体を回転駆動させる像保持体用モータと、
前記複数の現像体に対して１つ配備された、該複数の現像体を回転駆動させる、前記像保持体用モータとは別の現像体用モータとを備えたことを特徴とする画像形成装置。
【請求項２】
回転しながら周面に静電潜像が形成されて該静電潜像を保持する、前記複数の像保持体とは別の別像保持体と、
前記別像保持体に接触あるいは近接した、周面に、前記各色とは別の色のトナーを含む現像剤を保持して回転することで該別像保持体に保持されている静電潜像を現像する、前記複数の現像体とは別の別現像体と、
前記別像保持体および前記別現像体を、前記像保持体用モータおよび前記現像体用モータとは別のモータで回転駆動させる別駆動系とを備えたことを特徴とする請求項１記載の画像形成装置。
【請求項３】
前記像保持体用モータおよび前記現像体用モータのうち少なくとも一方が、複数種類のモータのうちから選択されたモータであり、
前記像保持体用モータおよび前記現像体用モータが取り付けられてそれら像保持体用モータおよび現像体用モータを支持する、それら像保持体用モータおよび現像体用モータの取り付け箇所とは別に、前記複数種類のモータのうちそれら像保持体用モータおよび現像体用モータとは別の種類のモータが取り付けられる取り付け箇所を有するモータ支持部材を備えたことを特徴とする請求項１または２記載の画像形成装置。
【請求項４】
前記複数種類のモータが、互いに減速比が異なるモータであることを特徴とする請求項３記載の画像形成装置。
【発明の詳細な説明】
【技術分野】
【０００１】
本発明は、記録媒体上に画像を形成する画像形成装置に関する。
【背景技術】
【０００２】
従来より、例えばイエロー（Ｙ）、マゼンタ（Ｍ）、シアン（Ｃ）、およびブラック（Ｋ）の４色のトナーそれぞれに対応した、並列配置された４つのトナー像形成ユニットを用い、中間媒体としての中間転写ベルトの送りに同期させて各トナー像形成ユニットでＹＭＣＫ各色のトナー像を形成し、それら各色のトナー像を中間転写ベルト上に順次に重ね合わせて転写（１次転写）し、中間転写ベルト上に重ね合わせたカラートナー像を記録媒体である記録用紙上に転写（２次転写）し定着する中間転写方式のフルカラータンデム型画像形成装置が知られている。
【０００３】
このようなフルカラータンデム型画像形成装置の各トナー像形成ユニットには、回転しながら周面に静電潜像が形成されてこの静電潜像を保持する、感光体ドラム等に代表される像保持体と、この像保持体に接触あるいは近接した、周面にトナーを含む現像剤を保持して回転することで像保持体に保持されている静電潜像を現像して像保持体上にトナー像を形成する現像体が備えられている。また、このフルカラータンデム型画像形成装置には、像保持体および現像体を回転駆動させるサーボモータが備えられている。
【０００４】
ここで、従来の画像形成装置を増速させた、より多くの画像形成が可能な増速機を設計する場合、一般に、サーボモータのクロック周波数を変更する事でサーボモータの回転数を上げる方法が取られている（例えば、特許文献１参照。）。
【特許文献１】特開２００２−１８２７０１号公報
【発明の開示】
【発明が解決しようとする課題】
【０００５】
ところが、上述した特許文献１の方法による増速で従来の画像形成装置を大きく増速することによって、サーボモータの回転数が２０００回転を超えてしまうと、騒音が発生することが知られている。また、増速する事によって負荷が大きくなり、トルク不足を生じるおそれもある。
【０００６】
本発明は、上記事情に鑑み、騒音増大およびトルク不足を回避した増速が可能な画像形成装置を提供することを目的とするものである。
【課題を解決するための手段】
【０００７】
上記目的を達成する本発明の画像形成装置は、
回転しながら周面に静電潜像が形成されてこの静電潜像を保持する複数の像保持体と、
上記複数の像保持体それぞれにそれぞれが接触あるいは近接した、各周面に各色のトナーを含む現像剤を保持して回転することでその像保持体に保持されている静電潜像を現像する複数の現像体と、
上記複数の像保持体に対して１つ配備された、それら複数の像保持体を回転駆動させる像保持体用モータと、
上記複数の現像体に対して１つ配備された、それら複数の現像体を回転駆動させる、上記像保持体用モータとは別の現像体用モータとを備えたことを特徴とする。
【０００８】
本発明の画像形成装置は、上記複数の像保持体を回転駆動させる像保持体用モータが、これら複数の像保持体に対して１つ配備され、上記複数の現像体を回転駆動させる現像体用モータが、これら複数の現像体に対して１つ配備されたものであって、この現像体用モータは上記像保持体用モータとは別のモータである。従って、本発明の画像形成装置によれば、複数の像保持体および複数の現像体を１つのモータで回転駆動していた従来の画像形成装置を増速して回転数を高くすることによって生じていた負荷の増大によるトルク不足や騒音増大を回避した増速が可能である。また、本発明の画像形成装置は、複数の像保持体および複数の現像体をそれぞれ別のモータで回転駆動することから、現像体側の振動が像保持体側に伝達されることが抑制され、より高品質な画像形成が実現される。
【０００９】
ここで、本発明の画像形成装置は、
「回転しながら周面に静電潜像が形成されてこの静電潜像を保持する、上記複数の像保持体とは別の別像保持体と、
上記別像保持体に接触あるいは近接した、周面に、上記各色とは別の色のトナーを含む現像剤を保持して回転することでその別像保持体に保持されている静電潜像を現像する、上記複数の現像体とは別の別現像体と、
上記別像保持体および上記別現像体を、上記像保持体用モータおよび上記現像体用モータとは別のモータで回転駆動させる別駆動系とを備えた」
ことが好ましい。
【００１０】
このような好ましい形態によれば、例えば、カラーモードとモノクロモードとを有する画像形成装置において、上記別像保持体および上記別現像体をモノクロモードで上記別駆動系によって使用するような構成とすることによって、そのモノクロモードで上記像保持体用モータおよび上記現像体用モータを停止させることができ、モノクロモードにおいて上記複数の像保持体の摩耗を防止することができる。
【００１１】
また、本発明の画像形成装置は、
「上記像保持体用モータおよび上記現像体用モータのうち少なくとも一方が、複数種類のモータのうちから選択されたモータであり、
上記像保持体用モータおよび上記現像体用モータが取り付けられてそれら像保持体用モータおよび現像体用モータを支持する、それら像保持体用モータおよび現像体用モータの取り付け箇所とは別に、上記複数種類のモータのうちそれら像保持体用モータおよび現像体用モータとは別の種類のモータが取り付けられる取り付け箇所を有するモータ支持部材を備えた」
ことも好ましい形態である。
【００１２】
このような好ましい形態によれば、上記モータ支持部材を、様々な画像形成装置の共通部品として使用することができるため、金型費を抑えることができ、低コストで最適な仕様の画像形成装置を提供することが可能となる。さらに、共通の金型を用いることにより、品質の安定化が図れる。
【００１３】
さらに、上記モータ支持部材を備えた本発明の画像形成装置は、上記複数種類のモータが、互いに減速比が異なるモータであることがさらに好ましい。
【００１４】
このような好ましい形態によれば、上記モータ支持部材の取り付け箇所に、減速比が異なる複数種類のモータのうちから所望のモータを選択して取り付けることによって、高速型の画像形成装置や低速型の画像形成装置などといった様々な画像形成装置を得ることができる。また、減速比が異なるモータを選択して減速比を変えることによってモータの回転数を下げると、騒音をより一層低減することができる。
【発明の効果】
【００１５】
本発明によれば、騒音増大およびトルク不足を回避した増速が可能な画像形成装置が提供される。
【発明を実施するための最良の形態】
【００１６】
以下、図面を参照して本発明の実施の形態を説明する。
【００１７】
図１は、本発明の第１実施形態の概略構成図である。
【００１８】
図１に示す画像形成装置１は、カラーモードとモノクロモードとを有するフルカラータンデム方式を採用した画像形成装置である。カラーモードでは、イエロー（Ｙ）、マゼンタ（Ｍ）、シアン（Ｃ）、およびブラック（Ｋ）の４色のトナーそれぞれに対応した、並列配置された４つのトナー像形成ユニットを用い、中間媒体としての中間転写ベルトの送りに同期させて各トナー像形成ユニットでＹＭＣＫ各色のトナー像を形成し、それら各色のトナー像を中間転写ベルト上に順次に重ね合わせて転写（１次転写）し、中間転写ベルト上に重ね合わせたカラートナー像を記録媒体である記録用紙上に転写（２次転写）し定着する。また、モノクロモードでは、４つのトナー像形成ユニットのうちのＫ色に対応したトナー像形成ユニットを用い、中間転写ベルトの送りに同期させてそのトナー像形成ユニットでＫ色のトナー像を形成し、このＫ色のトナー像を中間転写ベルト上に転写し、中間転写ベルト上に転写したトナー像を記録媒体である記録用紙上に転写定着する。
【００１９】
図１に示す画像形成装置１は、４つのトナー像形成ユニット１０Ｙ，１０Ｍ，１０Ｃ，１０Ｋ、および４つの１次転写ロール２０Ｙ，２０Ｍ，２０Ｃ，２０Ｋを備えている。また、この画像形成装置１は、駆動ロール３１、従動ロール３２、テンションロール３３、およびバックアップロール４２に張架されて反時計回りの矢印Ｂ方向に循環移動する周面を成す半導電性の中間転写ベルト３０、２次転写を行う一括転写装置４０、および未定着トナー像を用紙に定着させる定着装置５０も備えている。
【００２０】
４つのトナー像形成ユニット１０Ｙ，１０Ｍ，１０Ｃ，１０Ｋは、中間転写ベルト３０の循環移動方向に並んで配備されており、各トナー像形成ユニット１０Ｙ，１０Ｍ，１０Ｃ，１０Ｋには、時計回りの矢印Ａ方向に回転しながら周面に静電潜像が形成されてこの静電潜像を保持する感光体ドラム１１Ｙ，１１Ｍ，１１Ｃ，１１Ｋが配備されている。これら４つの感光体ドラム１１Ｙ，１１Ｍ，１１Ｃ，１１ＫのうちのＫ色用の感光体ドラム１１Ｋは、本発明にいう別像保持体の一例に相当するものであり、この感光体ドラム１１Ｋを除く他の３つの感光体ドラム１１Ｙ，１１Ｍ，１１Ｃは、本発明にいう複数の像保持体の一例に相当するものである。各感光体ドラム１１Ｙ，１１Ｍ，１１Ｃ，１１Ｋの周面は、中間転写ベルト３０に接している。１次転写ロール２０Ｙ，２０Ｍ，２０Ｃ，２０Ｋは、中間転写ベルト３０に囲まれた内部の、４つの感光体ドラム１１Ｙ，１１Ｍ，１１Ｃ，１１Ｋそれぞれに対向した各箇所に配備されており、各感光体ドラム１１Ｙ，１１Ｍ，１１Ｃ，１１Ｋと中間転写ベルト３０とが接する部分が１次転写位置である。
【００２１】
また、各トナー像形成ユニット１０Ｙ，１０Ｍ，１０Ｃ，１０Ｋの周囲には、非接触型帯電装置１２Ｙ，１２Ｍ，１２Ｃ，１２Ｋ、露光光照射装置１３Ｙ，１３Ｍ，１３Ｃ，１３Ｋ、現像装置１４Ｙ，１４Ｍ，１４Ｃ，１４Ｋ、補助帯電装置１５Ｙ，１５Ｍ，１５Ｃ，１５Ｋ、補助露光装置１６Ｙ，１６Ｍ，１６Ｃ，１６Ｋ、およびドラムクリーニング装置１７Ｙ，１７Ｍ，１７Ｃ，１７Ｋが備えられている。
【００２２】
現像装置１４Ｙ，１４Ｍ，１４Ｃ，１４Ｋは、感光体ドラム１１Ｙ，１１Ｍ，１１Ｃ，１１Ｋの周囲に配備され、１次転写位置に対し、感光体ドラム１１Ｙ，１１Ｍ，１１Ｃ，１１Ｋの回転における上流側に配備されている。露光光照射装置１３Ｙ，１３Ｍ，１３Ｃ，１３Ｋは、その現像装置１４Ｙ，１４Ｍ，１４Ｃ，１４Ｋよりもさらに上流側に配備されていて、非接触型帯電装置１２Ｙ，１２Ｍ，１２Ｃ，１２Ｋは、その露光光照射装置１３Ｙ，１３Ｍ，１３Ｃ，１３Ｋよりもさらに上流側に配備されている。
【００２３】
補助帯電装置１５Ｙ，１５Ｍ，１５Ｃ，１５Ｋは、感光体ドラム１１Ｙ，１１Ｍ，１１Ｃ，１１Ｋの周囲に配備され、１次転写位置に対し、感光体ドラム１１Ｙ，１１Ｍ，１１Ｃ，１１Ｋの回転における下流側に配備されている。補助露光装置１６Ｙ，１６Ｍ，１６Ｃ，１６Ｋは、その補助帯電装置１５Ｙ，１５Ｍ，１５Ｃ，１５Ｋよりもさらに下流側に配備されている。ドラムクリーニング装置１７Ｙ，１７Ｍ，１７Ｃ，１７Ｋは、その補助露光装置１６Ｙ，１６Ｍ，１６Ｃ，１６Ｋよりもさらに下流側に配備されていて、１次転写位置において中間転写ベルト３０に転写されず、感光体ドラム１１Ｙ，１１Ｍ，１１Ｃ，１１Ｋ上に残留する残留トナーを、導電性クリーニングブラシ１７１Ｙ，１７１Ｍ，１７１Ｃ，１７１Ｋでクリーニングする。
【００２４】
以下、図１に示す画像形成装置１をカラーモードで動作させるときの画像形成について説明する。
【００２５】
感光体ドラム１１Ｙ，１１Ｍ，１１Ｃ，１１Ｋの周面は、非接触型帯電装置１２Ｙ，１２Ｍ，１２Ｃ，１２Ｋによって一様に負極性に帯電される。非接触型帯電装置１２Ｙ，１２Ｍ，１２Ｃ，１２Ｋにより一様に負極性に帯電した感光体ドラム１１Ｙ，１１Ｍ，１１Ｃ，１１Ｋの周面には、露光光照射装置１３Ｙ，１３Ｍ，１３Ｃ，１３Ｋより画像の情報を保持したレーザ光が照射されて感光体ドラム１１Ｙ，１１Ｍ，１１Ｃ，１１Ｋの周面に静電潜像が形成される。現像装置１４Ｙ，１４Ｍ，１４Ｃ，１４Ｋは、二成分現像方式を採用したものであり、この現像装置１４Ｙ，１４Ｍ，１４Ｃ，１４Ｋには、磁性キャリアと負極性に帯電したトナーとからなる二成分現像剤が収容されている。また、現像装置１４Ｙ，１４Ｍ，１４Ｃ，１４Ｋには現像ロール１４１Ｙ，１４１Ｍ，１４１Ｃ，１４１Ｋが配備されている。これら４つの現像ロール１４１Ｙ，１４１Ｍ，１４１Ｃ，１４１ＫのうちのＫ色用の現像ロール１４１Ｋは、本発明にいう別現像体の一例に相当するものであり、この現像ロール１４１Ｋを除く他の３つの現像ロール１４１Ｙ，１４１Ｍ，１４１Ｃは、本発明にいう複数の現像体の一例に相当するものである。現像ロール１４１Ｙ，１４１Ｍ，１４１Ｃ，１４１Ｋの周面には、トナーが付着した磁性キャリアが層状となった現像剤層（いわゆる磁気層）が形成され、負極性に帯電したトナーは、現像ロール１４１Ｙ，１４１Ｍ，１４１Ｃ，１４１Ｋが回転することで、この現像剤層から静電潜像を保持した感光体ドラム１１Ｙ，１１Ｍ，１１Ｃ，１１Ｋの周面に供給される。感光体ドラム１１Ｙ，１１Ｍ，１１Ｃ，１１Ｋの周面に形成された静電潜像は負極性に帯電したトナーの供給を受けて現像されトナー像となる。
【００２６】
１次転写ロール２０Ｙ，２０Ｍ，２０Ｃ，２０Ｋには、トナーの極性とは逆極性の正極性の転写バイアスが印加されており、感光体ドラム１１Ｙ，１１Ｍ，１１Ｃ，１１Ｋの周面に形成されたトナー像は、感光体ドラム１１Ｙ，１１Ｍ，１１Ｃ，１１Ｋの周面から中間転写ベルト３０の周面に移行する。各トナー像形成ユニット１０Ｙ，１０Ｍ，１０Ｃ，１０Ｋで形成されたトナー像は、中間転写ベルト３０上で１つに重なり合ったカラートナー像となる。
【００２７】
また、一括転写装置４０は、中間転写ベルト３０のトナー像保持面側に、圧力が加えられた状態で接触して配備された二次転写ロール４１と、中間転写ベルト３０の裏面側に配備されたバックアップロール４２を備えており、これら２つのロール４１，４２で中間転写ベルト３０を挟みこんでいる。これら２つのロール４１，４２間が二次転写位置になる。
【００２８】
さらに、図１に示す画像形成装置１には、図示しない用紙トレイから搬送された用紙Ｐを、シュート６１を経て二次転写位置に送り出すレジストレーションロール６２が配備されており、用紙Ｐが所定のタイミングで二次転写位置へと送り込まれる。二次転写位置では、中間転写ベルト３０上で１つに重なり合ったカラートナー像が、送り込まれてきた用紙Ｐ上に転写される。
【００２９】
また、この画像形成装置１には、カラートナー像が２次転写された用紙Ｐを搬送する搬送ベルト６３が配備されており、搬送ベルト６３で搬送された用紙Ｐは定着装置５０へと送り込まれる。定着装置５０は、加熱機構５１１を有する定着ロール５１、および定着ロール５１に対向するように設けられた圧力ロール５２を備えている。互いに対向する定着ロール５１と圧力ロール５２との間に、２次転写位置を通過した用紙Ｐが搬送されてくると、用紙Ｐ上のカラートナー像を構成するトナーは、定着ロール５１の加熱機構５１１により溶融され用紙Ｐ上に定着され、用紙Ｐ上に定着トナー像からなる画像が形成される。
【００３０】
また、感光体ドラム１１Ｙ，１１Ｍ，１１Ｃ，１１Ｋの周面に形成されたトナー像が１次転写位置で中間転写ベルト３０周面に移行した後の感光体ドラム１１Ｙ，１１Ｍ，１１Ｃ，１１Ｋは、補助帯電装置１５Ｙ，１５Ｍ，１５Ｃ，１５Ｋによって転写履歴が緩和されるとともに、補助露光装置１６Ｙ，１６Ｍ，１６Ｃ，１６Ｋによって感光体電位が調整される。また、感光体ドラム１１Ｙ，１１Ｍ，１１Ｃ，１１Ｋの周面に形成されたトナー像が１次転写位置で中間転写ベルト３０の周面に移行した後に、感光体ドラム１１Ｙ，１１Ｍ，１１Ｃ，１１Ｋ上に残留する残留トナーは、補助帯電装置１５Ｙ，１５Ｍ，１５Ｃ，１５Ｋによって正極性に帯電された後に、ドラムクリーニング装置１７Ｙ，１７Ｍ，１７Ｃ，１７Ｋに配備された導電性クリーニングブラシ１７１Ｙ，１７１Ｍ，１７１Ｃ，１７１Ｋが負極性の電圧の印加を受けることにより、静電的にクリーニングされる。
【００３１】
次に、この図１に示す画像形成装置１に備えられた感光体ドラム１１Ｙ，１１Ｍ，１１Ｃ，１１Ｋを回転駆動する駆動源、現像ロール１４１Ｙ，１４１Ｍ，１４１Ｃ，１４１Ｋ、およびこれらを回転駆動する駆動源について詳しく説明する。
【００３２】
図２は、中間転写ベルト用モータ７１０、第１モータ７２０、第２モータ７３０、および第３モータ７４０が取り付けられたモータ支持部材７００の外観斜視図であり、図３は、図２に示すモータ支持部材７００を裏面側から見た外観斜視図である。
【００３３】
図２に示すモータ支持部材７００に取り付けられた中間転写ベルト用モータ７１０は、図３に示すように中間転写ベルト用モータ出力軸７１１を有している。この中間転写ベルト用モータ出力軸７１１は、軸周りに設けられたギア７１１ａを有しており、このギア７１１ａが、駆動ロール３１（図１参照）が装着される駆動ロール用回転軸３１１の軸周りに設けられたギア３１１ａと連結されている。中間転写ベルト用モータ７１０の駆動力が、中間転写ベルト用モータ出力軸７１１および駆動ロール用回転軸３１１を介して駆動ロール３１（図１参照）に伝達されることで、中間転写ベルト３０が矢印Ｂ方向（図１参照）に循環移動する。
【００３４】
また、図２に示すモータ支持部材７００に取り付けられた第１モータ７２０は、図３に示すように第１モータ出力軸７２１を有している。この第１モータ出力軸７２１は、軸周りに設けられたギア７２１ａを有しており、このギア７２１ａが、Ｃ色用の感光体ドラム１１Ｃ（図１参照）が装着されるＣ色感光体ドラム用回転軸１１１Ｃの軸周りに設けられたギア１１１Ｃａ、およびＭ色用の感光体ドラム１１Ｍ（図１参照）が装着されるＭ色感光体ドラム用回転軸１１１Ｍの軸周りに設けられたギア１１１Ｍａと連結されており、さらに、Ｍ色感光体ドラム用回転軸１１１Ｍの軸周りに設けられたギア１１１Ｍａが、ギア１１２を介して、Ｙ色用の感光体ドラム１１Ｙ（図１参照）が装着されるＹ色感光体ドラム用回転軸１１１Ｙの軸周りに設けられたギア１１１Ｙａと連結されている。第１モータ７２０の駆動力が、第１モータ出力軸７２１、Ｃ色感光体ドラム用回転軸１１１Ｃ、Ｍ色感光体ドラム用回転軸１１１Ｍ、およびＹ色感光体ドラム用回転軸１１１Ｙを介してＣ色用の感光体ドラム１１Ｃ（図１参照）やＭ色用の感光体ドラム１１Ｍ（図１参照）やＹ色用の感光体ドラム１１Ｙ（図１参照）に伝達されることでこれらが矢印Ａ方向（図１参照）に回転する。この第１モータ７２０は、本発明にいう像保持体用モータの一例に相当するものである。
【００３５】
また、図２に示すモータ支持部材７００に取り付けられた第２モータ７３０は、図３に示すように第２モータ出力軸７３１を有している。この第２モータ出力軸７３１は、軸周りに設けられたギア７３１ａを有しており、このギア７３１ａが、ギア１４１２を介して、Ｃ色用の現像ロール１４１Ｃ（図１参照）が装着されるＣ色現像ロール用回転軸１４１１Ｃの軸周りに設けられたギア１４１１Ｃａ、およびＭ色用の現像ロール１４１Ｍ（図１参照）が装着されるＭ色現像ロール用回転軸１４１１Ｍの軸周りに設けられたギア１４１１Ｍａと連結されており、さらに、Ｍ色現像ロール用回転軸１４１１Ｍの軸周りに設けられたギア１４１１Ｍａが、ギア１４１３を介して、Ｙ色用の現像ロール１４１Ｙ（図１参照）が装着されるＹ色現像ロール用回転軸１４１１Ｙの軸周りに設けられたギア１４１１Ｙａと連結されている。第２モータ７３０の駆動力が、第２モータ出力軸７３１、Ｃ色現像ロール用回転軸１４１１Ｃ、Ｍ色現像ロール用回転軸１４１１Ｍ、およびＹ色現像ロール用回転軸１４１１Ｙを介してＣ色用の現像ロール１４１Ｃ（図１参照）やＭ色用の現像ロール１４１Ｍ（図１参照）やＹ色用の現像ロール１４１Ｙ（図１参照）に伝達されることでこれらが回転する。この第２モータ７３０は、本発明にいう現像体用モータの一例に相当するものである。
【００３６】
また、図２に示すモータ支持部材７００に取り付けられた第３モータ７４０は、図３に示すように第３モータ出力軸７４１を有している。この第３モータ出力軸７４１は、軸周りに設けられたギア７４１ａを有しており、このギア７４１ａが、Ｋ色用の感光体ドラム１１Ｋ（図１参照）が装着されるＫ色感光体ドラム用回転軸１１１Ｋの軸周りに設けられたギア１１１Ｋａと連結されており、さらに、第３モータ出力軸７４１の軸周りに設けられたギア７４１ａが、ギア１４１４を介して、Ｋ色用の現像ロール１４１Ｋ（図１参照）が装着されるＫ色現像ロール用回転軸１４１１Ｋの軸周りに設けられたギア１４１１Ｋａと連結されている。この第３モータ７４０およびギア１４１４の組み合わせは、本発明にいう別駆動系の一例に相当するものである。
【００３７】
このように、第１実施形態の画像形成装置１には、４つの感光体ドラム１１Ｙ，１１Ｍ，１１Ｃ，１１ＫのうちのＫ色用の感光体ドラム１１Ｋを除く他の３つの感光体ドラム１１Ｙ，１１Ｍ，１１Ｃを回転駆動させる第１モータ７２０が、これら３つの感光体ドラム１１Ｙ，１１Ｍ，１１Ｃに対して１つ配備され、４つの現像ロール１４１Ｙ，１４１Ｍ，１４１Ｃ，１４１ＫのうちのＫ色用の現像ロール１４１Ｋを除く他の３つの現像ロール１４１Ｙ，１４１Ｍ，１４１Ｃを回転駆動させる、第１モータ７２０とは別の第２モータ７３０が、これら３つの現像ロール１４１Ｙ，１４１Ｍ，１４１Ｃに対して１つ配備されている。従って、第１実施形態の画像形成装置１によれば、例えば上記３つの感光体ドラム１１Ｙ，１１Ｍ，１１Ｃおよび上記３つの現像ロール１４１Ｙ，１４１Ｍ，１４１Ｃを１つのモータで回転駆動していたような従来の画像形成装置を増速して回転数を高くすることによって生じていた負荷の増大によるトルク不足や騒音増大を回避した増速が可能である。また、第１実施形態の画像形成装置１は、上述したように、上記３つの感光体ドラム１１Ｙ，１１Ｍ，１１Ｃおよび上記３つの現像ロール１４１Ｙ，１４１Ｍ，１４１Ｃをそれぞれ別のモータで回転駆動することから、現像ロール１４１Ｙ，１４１Ｍ，１４１Ｃ側の振動が感光体ドラム１１Ｙ，１１Ｍ，１１Ｃ側に伝達されることが抑制され、より高品質な画像形成が実現される。
【００３８】
また、第１実施形態の画像形成装置１によれば、この画像形成装置１をモノクロモードで動作させるとき、第１モータ７２０および第２モータ７３０を停止させることによって、上記３つの感光体ドラム１１Ｙ，１１Ｍ，１１Ｃの摩耗を防止することができる。
【００３９】
以上で、本発明の第１実施形態の説明を終了し、本発明の第２実施形態について説明する。
【００４０】
尚、以下説明する第２実施形態は、上述した第１実施形態の第１モータ７２０を、この第１モータ７２０とは異なる減速比の第４モータ７５０に置き換えたものである。
【００４１】
以下、第１実施形態における要素と同じ要素については同じ符号を付して説明を省略し、第１実施形態との相違点についてのみ説明する。
【００４２】
図４は、中間転写ベルト用モータ７１０、第４モータ７５０、第２モータ７３０、および第３モータ７４０が取り付けられたモータ支持部材７００の外観斜視図であり、図５は、図４に示すモータ支持部材７００を裏面側から見た外観斜視図である。
【００４３】
この図４に示すモータ支持部材７００は、上述した第１実施形態のモータ支持部材７００と同一のものであって、上述した第１実施形態の第１モータ７２０が取り付けられる取り付け箇所とは異なる位置に、その第１モータ７２０とは異なる減速比の第４モータ７５０が取り付けられる取り付け箇所を有している。第２実施形態では、第４モータ７５０が、この第４モータ７５０を第１実施形態の第１モータ７２０と同等の回転数で駆動したときに、被駆動物をより高速に回転駆動させることができるものである例を挙げて説明する。
【００４４】
このように、モータ支持部材７００を共通部品として使用することによって、金型費を抑えることができ、低コストで最適な仕様の画像形成装置を提供することが可能となる。さらに、共通の金型を用いることにより、品質の安定化が図れる。
【００４５】
図４に示すモータ支持部材７００に取り付けられた第４モータ７５０は、図５に示すように第４モータ出力軸７５１を有している。この第４モータ出力軸７５１は、軸周りに設けられたギア７５１ａを有しており、このギア７５１ａが、Ｃ色用の感光体ドラム１１Ｃ（図１参照）が装着されるＣ色感光体ドラム用回転軸１１１Ｃの軸周りに設けられたギア１１１Ｃａ、およびＭ色用の感光体ドラム１１Ｍ（図１参照）が装着されるＭ色感光体ドラム用回転軸１１１Ｍの軸周りに設けられたギア１１１Ｍａと連結されており、さらに、Ｍ色感光体ドラム用回転軸１１１Ｍの軸周りに設けられたギア１１１Ｍａが、ギア１１２を介して、Ｙ色用の感光体ドラム１１Ｙ（図１参照）が装着されるＹ色感光体ドラム用回転軸１１１Ｙの軸周りに設けられたギア１１１Ｙａと連結されている。第４モータ７５０の駆動力が、第４モータ出力軸７５１、Ｃ色感光体ドラム用回転軸１１１Ｃ、Ｍ色感光体ドラム用回転軸１１１Ｍ、およびＹ色感光体ドラム用回転軸１１１Ｙを介してＣ色用の感光体ドラム１１Ｃ（図１参照）やＭ色用の感光体ドラム１１Ｍ（図１参照）やＹ色用の感光体ドラム１１Ｙ（図１参照）に伝達されることでこれらが矢印Ａ方向（図１参照）に回転する。この第４モータ７５０は、本発明にいう像保持体用モータの一例に相当するものである。
【００４６】
このように、モータ支持部材７００の、上述した第１実施形態の第１モータ７２０が取り付けられる取り付け箇所とは異なる位置に設けられた取り付け箇所に、その第１モータ７２０とは異なる減速比の第４モータ７５０を取り付けることによって、高速型の画像形成装置を得ることができる。また、第４モータ７５０は、上述したように、第１実施形態の第１モータ７２０と同等の回転数で駆動したときに、被駆動物をより高速に回転駆動させることができるものであるため、第４モータ７５０を取り付けることによって、増速と低騒音の両立を図ることができる。
【図面の簡単な説明】
【００４７】
【図１】本発明の第１実施形態の概略構成図である。
【図２】中間転写ベルト用モータ、第１モータ、第２モータ、および第３モータが取り付けられたモータ支持部材の外観斜視図である。
【図３】図２に示すモータ支持部材を裏面側から見た外観斜視図である。
【図４】中間転写ベルト用モータ、第４モータ、第２モータ、および第３モータが取り付けられたモータ支持部材の外観斜視図である。
【図５】図４に示すモータ支持部材を裏面側から見た外観斜視図である。
【符号の説明】
【００４８】
１    画像形成装置
１０Ｙ，１０Ｍ，１０Ｃ，１０Ｋ    トナー像形成ユニット
１１Ｙ，１１Ｍ，１１Ｃ，１１Ｋ    感光体ドラム
１２Ｙ，１２Ｍ，１２Ｃ，１２Ｋ    非接触型帯電装置
１３Ｙ，１３Ｍ，１３Ｃ，１３Ｋ    露光光照射装置
１４Ｙ，１４Ｍ，１４Ｃ，１４Ｋ    現像装置
１４１Ｙ，１４１Ｍ，１４１Ｃ，１４１Ｋ    現像ロール
１５Ｙ，１５Ｍ，１５Ｃ，１５Ｋ    補助帯電装置
１６Ｙ，１６Ｍ，１６Ｃ，１６Ｋ    補助露光装置
１７Ｙ，１７Ｍ，１７Ｃ，１７Ｋ    ドラムクリーニング装置
１７１Ｙ，１７１Ｍ，１７１Ｃ，１７１Ｋ    導電性クリーニングブラシ
２０Ｙ，２０Ｍ，２０Ｃ，２０Ｋ    １次転写ロール
３０    中間転写ベルト
３１    駆動ロール
３２    従動ロール
３３    テンションロール
４０    一括転写装置
４１    二次転写ロール
４２    バックアップロール
５０    定着装置
５１    定着ロール
５１１    加熱機構
５２    圧力ロール
６１    シュート
６２    レジストレーションロール
６３    搬送ベルト
７００    モータ支持部材
７１０    中間転写ベルト用モータ
７１１    中間転写ベルト用モータ出力軸
７１１ａ    ギア
３１１    駆動ロール用回転軸
３１１ａ    ギア
７２０    第１モータ
７２１    第１モータ出力軸
７２１ａ    ギア
１１１Ｃ    Ｃ色感光体ドラム用回転軸
１１１Ｃａ    ギア
１１１Ｍ    Ｍ色感光体ドラム用回転軸
１１１Ｍａ    ギア
１１２    ギア
１１１Ｙ    Ｙ色感光体ドラム用回転軸
１１１Ｙａ    ギア
７３０    第２モータ
７３１    第２モータ出力軸
７３１ａ    ギア
１４１２    ギア
１４１１Ｃ    Ｃ色現像ロール用回転軸
１４１１Ｃａ    ギア
１４１１Ｍ    Ｍ色現像ロール用回転軸
１４１１Ｍａ    ギア
１４１３    ギア
１４１１Ｙ    Ｙ色現像ロール用回転軸
１４１１Ｙａ    ギア
７４０    第３モータ
７４１    第３モータ出力軸
７４１ａ    ギア
１１１Ｋ    Ｋ色感光体ドラム用回転軸
１１１Ｋａ    ギア
１４１４    ギア
１４１１Ｋ    Ｋ色現像ロール用回転軸
１４１１Ｋａ    ギア
７５０    第４モータ
７５１    第４モータ出力軸
７５１ａ    ギア
【図１】
2009115966.tif 000003
【図２】
2009115966.tif 000004
【図３】
2009115966.tif 000005
【図４】
2009115966.tif 000006
【図５】
2009115966.tif 000007